【手続補正書】
【提出日】平成24年7月20日(2012.7.20)
【手続補正１】
【補正対象書類名】明細書
【補正対象項目名】００５２
【補正方法】変更
【補正の内容】
【００５２】
表５を参照すると、ある画素に対する画素あたりの滴数（Drops/Pxl）／可能な滴容積の組み合わせの総数（#comb）は、利用可能な異なる滴サイズの数（＃ＤＶ）及びその画素上に射出された各滴サイズに対する滴数（#drops/DV）に依存する。表５でわかるように、より高い組み合わせ数は、異なる滴サイズの最大数で達成される。
【表５】
2011529001.tif 000001
＜補遺＞
実施の形態は、以下のような側面を含んでいる。
（１）液滴を射出する方法であって、
複数の滴容積Ｖiを有する液滴を射出するように動作可能な印刷ヘッドを設けるステップであって、ｉ＝１〜ｎでｎ≧２であり、ｊ＞ｉのときＶj＞Ｖiであり、前記複数の滴容積の一つは最小滴容積Ｖminであり、連続するより大きな滴同士の間の滴容積の差はｋ＝１〜ｎ−１に対してδk,k+1＝（Ｖk+1−Ｖｋ）＜Ｖminである、ステップと、
前記印刷ヘッドを通して液滴を射出するステップと、
を含む、方法。
（２）ｋ＝１〜ｎ−２に対してδk,k+1＝δk+1,k+2である、（１）に記載の液滴を射出する方法。
（３）ｋのある値に対してδk,k+1≠δk+1,k+2である、（１）に記載の液滴を射出する方法。
（４）δminが全てのｋに対するδk,k+1の最小値であり、任意のｋの値に対するδk,k+1がδminの整数倍である、（１）に記載の液滴を射出する方法。
（５）δminが全てのｋに対するδk,k+1の最小値であり、２Ｖ1−Ｖnがδminの整数倍である、（１）に記載の液滴を射出する方法。
（６）ｋ＝１〜ｎ−１に対してＶk+1−Ｖkが実質的に均一である、（１）に記載の液滴を射出する方法。
（７）ｋのある値については、ｋ＝１〜ｎ−１に対してＶk+1−Ｖkが実質的に均一ではない、（１）に記載の液滴を射出する方法。
（８）インク滴を射出する方法であって、
複数の滴容積を有する液滴を射出するように動作可能な印刷ヘッドを設けるステップであって、複数の滴容積の各々が異なるノズルから射出可能であり、前記複数の滴容積の一つは最小滴容積Ｖminであり、前記複数の滴容積の他の一つは最小滴容積Ｖminの２倍よりも小さい最大滴容積Ｖmaxである、ステップと、
前記印刷ヘッドを通して液滴を射出するステップと、
を含む、方法。
（９）最小滴容積Ｖminが≦2.0pLである、（８）に記載のインク滴を射出する方法。
（１０）ｋ＝１〜ｎ−１に対してδk,k+1＝（Ｖk+1−Ｖk）＜Ｖminである、（８）に記載のインク滴を射出する方法。
（１１）前記滴容積の各々の間の増分容積同士が実質的に等しい、（８）に記載のインク滴を射出する方法。
（１２）インク滴を射出する方法であって、
複数の滴容積を有する液滴を射出するように動作可能な印刷ヘッドを設けるステップであって、前記滴容積の第１のものが最小滴容積Ｖminであり、隣接する滴容積同士の間の各々の増分が＜Ｖminであるステップと、
前記印刷ヘッドを通して液滴を射出するステップと、
を含む、方法。
（１３）前記滴容積の最大Ｖmaxが前記最小滴容積Ｖminの２倍よりも小さい、（１２）に記載のインク滴を射出する方法。
（１４）前記増分の各々が実質的に均一である、（１２）に記載のインク滴を射出する方法。
（１５）前記増分の一つが他の増分の少なくとも一つと実質的に均一ではない、（１４）に記載のインク滴を射出する方法。
（１６）前記増分の一つが、前記第１の滴容積と前記第１の滴容積に隣接する滴容積の第２のものとの間の増分の整数倍である、（１２）に記載のインク滴を射出する方法。
（１７）
画素位置を有する記録媒体を設けるステップと、
前記第１の滴容積を有する液滴の少なくとも一つが前記画素位置で前記受容媒体上に堆積されるべきかどうかを決定するステップと、
前記第１の滴容積を有する液滴が前記画素位置で前記受容媒体上に堆積されるべきであると決定されたら、前記第１の滴容積を有する前記液滴を前記画素位置に射出するステップと、
をさらに含む、（１２）に記載のインク滴を射出する方法。
（１８）
第２の滴容積を有する液滴の少なくとも一つが前記画素位置で前記受容媒体上に堆積されるべきかどうかを決定するステップと、
前記第２の滴容積を有する液滴が前記画素位置で前記受容媒体上に堆積されるべきであると決定されたら、前記第２の滴容積を有する前記液滴を前記画素位置に射出するステップと、
をさらに含む、（１７）に記載のインク滴を射出する方法。
（１９）画素位置を有する記録媒体を設けるステップと、
前記画素位置に堆積されるべき前記第１の滴容積を有する液滴の第1の数及び第２の滴容積を有する液滴の第２の数を、前記画素位置に対する所望の合計液体容積に基づいて決定するステップと、
前記画素位置で前記所望の合計液体容積を達成するために、前記画素位置に堆積されるべき前記第１及び第２の滴容積を有する前記液滴の組み合わせを選択するステップと、
液滴の前記組み合わせを前記画素位置に射出するステップと、
をさらに含む、請求項１２に記載のインク滴を射出する方法。
（２０）前記組み合わせを、前記画素位置に対する前記所望の合計液体容積をもたらす結果となる複数の組み合わせから選択するステップをさらに含む、（１９）に記載のインク滴を射出する方法。
（２１）複数の滴容積を有する液滴を射出するように動作可能な印刷ヘッドを設ける前記ステップが、それぞれのノズルから異なる滴容積の液滴を射出するように動作可能な印刷ヘッドを設けるステップを含む、（１２）に記載のインク滴を射出する方法。
（２２）印刷ヘッドを備える液体射出装置であって、前記印刷ヘッドが、
最小滴容積である第１の滴容積を有する液滴を射出するように動作可能な第１の液体射出器と、
最小滴容積より大きい第２の滴容積を射出するように動作可能であり、前記第１及び第２の滴容積の間の増分は前記最小滴容積より小さい、第２の液体射出器と、
を含む、液体射出装置。
（２３）前記印刷ヘッドかさらに、前記第２の滴容積より大きい第３の滴容積を射出するように動作可能であり、前記第２及び第３の滴容積の間の増分は前記最小滴容積より小さい、第３の液体射出器をさらに含む、（２２）に記載の液体射出装置。
（２４）前記第３の滴容積が前記最小滴容積の２倍より小さい、（２３）に記載の液体射出装置。
（２５）前記第１及び第２の滴容積の間の増分は前記第２及び第３の滴容積の間の増分に実質的に等しい、（２３）に記載の液体射出装置。
（２６）前記第１及び第２の滴容積の間の増分は前記第２及び第３の滴容積の間の増分に等しくない、（２３）に記載の液体射出装置。
（２７）前記第２及び第３の滴容積の間の増分は前記第１及び第２の滴容積の間の増分の整数倍である、（２３）に記載の液体射出装置。
（２８）第１及び第２の液体射出器の各々が、
ノズルと、
前記ノズルと流体連通している液体チャンバと、
前記ノズルと動作的に関連した滴形成機構と、
を含む、（２２）に記載の液体射出装置。
（２９）前記第１の液体射出器の前記ノズルが第１の直径を有し、
前記第２の液体射出器の前記ノズルが第２の直径を有し、
前記第１の直径が前記第２の直径とは異なる、（２８）に記載の液体射出装置。
（３０）前記第１の液体射出器の前記滴形成機構が第１の寸法すなわちサイズを有し、
前記第２の液体射出器の前記滴形成機構が第２の寸法すなわちサイズを有し、
前記第２の液体射出器の前記ノズルが第２の直径を有し、
前記第１の配置又はサイズが前記第２の配置又はサイズとは異なる、（２８）に記載の液体射出装置。
（３１）前記第１の液体射出器の前記滴形成機構に第１の電子信号を提供し且つ前記第２の液体射出器の前記滴形成機構に第２の電子信号を提供するように動作可能で、前記第１の電子信号が前記第２の電子信号とは異なるコントローラをさらに含む、（２８）に記載の液体射出装置。
（３２）複数の前記第１の液体射出器が前記印刷ヘッド上の第１のアレイに配置され、
複数の前記第２の液体射出器が前記印刷ヘッド上の第２のアレイに配置され、
前記第１のアレイが前記第２のアレイから離れている、（２８）に記載の液体射出装置。
【手続補正２】
【補正対象書類名】特許請求の範囲
【補正対象項目名】全文
【補正方法】変更
【補正の内容】
【特許請求の範囲】
【請求項１】
インク滴を射出する方法であって、
複数の滴容積を有する液滴を射出するように動作可能な印刷ヘッドを設けるステップであって、複数の滴容積の各々が、構造的な相違を有する異なるノズルから射出可能であり、前記複数の滴容積の一つは最小滴容積Ｖminであり、前記複数の滴容積の他の一つは最小滴容積Ｖminの２倍よりも小さい最大滴容積Ｖmaxである、ステップと、
前記印刷ヘッドを通して液滴を射出するステップと、
を含む、方法。
【請求項２】
印刷ヘッドを備える液体射出装置であって、前記印刷ヘッドが、
最小滴容積である第１の滴容積を有する液滴を射出するように動作可能な第１の液体射出器と、
最小滴容積より大きい第２の滴容積を射出するように動作可能であり、前記第１及び第２の滴容積の間の増分は前記最小滴容積より小さい、第２の液体射出器と、
を含み、前記第１の液体射出器と前記第２の液体射出器とは構造的な相違を有する、液体射出装置。
【請求項３】
液滴を射出する方法であって、
複数の滴容積Ｖiを有する液滴を射出するように動作可能な印刷ヘッドを設けるステップであって、ｉ＝１〜ｎでｎ≧２であり、ｊ＞ｉのときＶj＞Ｖiであり、前記複数の滴容積の一つは最小滴容積Ｖminであり、連続するより大きな滴同士の間の滴容積の差はｋ＝１〜ｎ−１に対してδk,k+1＝（Ｖk+1−Ｖｋ）＜Ｖminである、ステップと、
前記印刷ヘッドを通して液滴を射出するステップと、
を含み、
δminが全てのｋに対するδk,k+1の最小値であり、任意のｋの値に対するδk,k+1がδminの整数倍である、方法。
【請求項４】
インク滴を射出する方法であって、
構造的な相違を有する複数の液体射出器から複数の滴容積を有する液滴を射出するように動作可能な印刷ヘッドを設けるステップであって、前記滴容積の第１のものが最小滴容積Ｖminであり、ある液滴の滴容積とその液滴の次にサイズが大きい液滴の滴容積との間の滴容積の増分がＶmin未満であるステップと、
前記印刷ヘッドを通して液滴を射出するステップと、
を含む、方法。